(57)【特許請求の範囲】
【請求項１】
ホスト装置と電子財布機器とが通信ネットワークによって接続された電子財布システムであって、
前記ホスト装置は、
資金移動元の親口座に預金される預金金額を記憶する親口座記憶手段と、
資金移動先の財布口座にされる預金金額と、財布口座の識別情報とを対応付けて記憶する財布口座記憶手段と、
前記親口座記憶手段の記憶する預金金額から所定の条件に基づいて特定した移動金額を、前記親口座記憶手段に記録される預金金額から差し引いて、前記財布口座記憶手段に記録される預金金額に加算する資金移動手段と、
前記電子財布機器より、前記財布口座の識別情報と決済金額とを格納した決済要求を受信する決済要求受信手段と、
前記決済要求に格納された前記財布口座の識別情報に基づいて、前記財布口座記憶手段に記録されている預金金額を読み取り、当該預金金額から前記決済金額を差し引いて、前記財布口座記憶手段に記録されている預金金額を更新する決済手段と、
前記決済金額と、前記財布口座記憶手段に記録されている預金金額から前記決済金額を差し引いた前記更新後の預金金額と、を少なくとも示す履歴情報を記憶する履歴記憶手段と、
前記履歴情報を前記電子財布機器へ送信する履歴情報送信手段と、
を備え、
前記履歴情報送信手段は、所定の閾値未満の決済金額を示す前記履歴情報については所定の期間単位でまとめて前記電子財布機器へ送信する
ことを特徴とする電子財布システム。
【請求項２】
前記ホスト装置の資金移動手段は、毎月の資金移動日を記憶する資金移動日記憶手段から読み取った前記資金移動日を検出し、当該資金移動日に、前記特定した移動金額を、前記親口座記憶手段に記録される預金金額から差し引いて、前記財布口座記憶手段に記録される預金金額に加算する
ことを特徴とする請求項１に記載の電子財布システム。
【請求項３】
前記ホスト装置は、一定金額の移動、または上限金額までの移動、の何れかを示す前記所定の条件を記憶する条件記憶手段を備え、
前記資金移動手段は、
前記条件記憶手段に記録されている前記所定の条件が、一定金額の移動を示す場合には、その一定金額が示す金額を、前記移動金額と特定し、
前記条件記憶手段に記録されている前記所定の条件が、上限金額までの移動を示す場合には、その上限金額から前記財布口座記憶手段に記録されている預金金額を差し引いた金額を、前記移動金額と特定する
ことを特徴とする請求項１または請求項２に記載の電子財布システム。
【請求項４】
前記ホスト装置は、
現金引出機より、前記財布口座の識別情報と引出金額とを格納した引出要求を受信する引出要求受信手段と、
前記引出金額が、前記財布口座記憶手段に記録される預金金額以下か否かを判定する引出可否判定手段と、
前記引出金額が、前記財布口座記憶手段に記録される預金金額以下である場合に、前記現金引出機へ、前記引出金額の引出可を示す情報を送信する判定結果送信手段と、
前記財布口座記憶手段に記録されている預金金額を読み取り、当該預金金額から前記引出金額を差し引いて、前記財布口座記憶手段に記録されている預金金額を更新する引出処理手段と、
を備えることを特徴とする請求項１から請求項３のいずれかに記載の電子財布システム。
【請求項５】
ホスト装置と電子財布機器とが通信ネットワークによって接続された電子財布システムにおける決済処理方法であって、
前記ホスト装置は、
親口座記憶手段が、資金移動元の親口座に預金される預金金額を記憶し、
財布口座記憶手段が、資金移動先の財布口座にされる預金金額と、財布口座の識別情報とを対応付けて記憶し、
資金移動手段が、前記親口座記憶手段の記憶する預金金額から所定の条件に基づいて特定した移動金額を、前記親口座記憶手段に記録される預金金額から差し引いて、前記財布口座記憶手段に記録される預金金額に加算し、
決済要求受信手段が、前記電子財布機器より、前記財布口座の識別情報と決済金額とを格納した決済要求を受信し、
決済手段が、前記決済要求に格納された前記財布口座の識別情報に基づいて、前記財布口座記憶手段に記録されている預金金額を読み取り、当該預金金額から前記決済金額を差し引いて、前記財布口座記憶手段に記録されている預金金額を更新し、
履歴記憶手段が、前記決済金額と、前記財布口座記憶手段に記録されている預金金額から前記決済金額を差し引いた前記更新後の預金金額と、を少なくとも示す履歴情報を記憶し、
履歴情報送信手段が、前記履歴情報を前記電子財布機器へ送信し、
前記履歴情報送信手段は、さらに、所定の閾値未満の決済金額を示す前記履歴情報については所定の期間単位でまとめて前記電子財布機器へ送信する
ことを特徴とする決済処理方法。
【発明の詳細な説明】
【技術分野】
【０００１】
本発明は、ユーザが携帯する電子財布機器を用いて、銀行口座に預金されている預金金額から商品購入時の決済を行う、電子財布システム及び決済処理方法に関する。
【背景技術】
【０００２】
従来、商品購入時の電子決済を行うシステムでは、ユーザが携帯する端末に電子マネーの情報を蓄積させ、決済サーバと端末との間で決済処理を行うことにより、端末に蓄積されている電子マネーの金額を減じている。または、端末は自身のＩＤを決済サーバに送信することにより、決済サーバ内で決済処理、つまり、利用できる金額から購入金額を差し引いて決済処理を行うものも存在する。なお、本発明の関連技術として、複数の口座間で資金を移動する技術が特許文献１に開示されている。
【特許文献１】特開２００４−１１８５９０号公報
【発明の開示】
【発明が解決しようとする課題】
【０００３】
ところで、従来の、電子決済を行うシステムでは、ユーザ自身の口座に振り込まれている預金金額や、クレジットカードによる借入限度額までの金額であれば、端末に対して自由に電子マネーの金額をチャージし、または決済サーバでの決済を行うことができる。従って、余計な出費等、使いすぎが生じてしまうという問題があった。
【０００４】
そこでこの発明は、ユーザの商品購入に利用する金額の使いすぎを抑制することのできる電子財布システム及び決済処理方法を提供することを目的としている。
【課題を解決するための手段】
【０００５】
上記目的を達成するために、本発明は、ホスト装置と電子財布機器とが通信ネットワークによって接続された電子財布システムであって、前記ホスト装置は、資金移動元の親口座に預金される預金金額を記憶する親口座記憶手段と、資金移動先の財布口座にされる預金金額と、財布口座の識別情報とを対応付けて記憶する財布口座記憶手段と、前記親口座記憶手段の記憶する預金金額から所定の条件に基づいて特定した移動金額を、前記親口座記憶手段に記録される預金金額から差し引いて、前記財布口座記憶手段に記録される預金金額に加算する資金移動手段と、前記電子財布機器より、前記財布口座の識別情報と決済金額とを格納した決済要求を受信する決済要求受信手段と、前記決済要求に格納された前記財布口座の識別情報に基づいて、前記財布口座記憶手段に記録されている預金金額を読み取り、当該預金金額から前記決済金額を差し引いて、前記財布口座記憶手段に記録されている預金金額を更新する決済手段と、前記決済金額と、前記財布口座記憶手段に記録されている預金金額から前記決済金額を差し引いた前記更新後の預金金額と、を少なくとも示す履歴情報を記憶する履歴記憶手段と、前記履歴情報を前記電子財布機器へ送信する履歴情報送信手段と、を備え、前記履歴情報送信手段は、所定の閾値未満の決済金額を示す前記履歴情報については所定の期間単位でまとめて前記電子財布機器へ送信することを特徴とする電子財布システムである。
【０００６】
また、本発明は、上述の電子財布システムにおいて、前記ホスト装置は、現金引出機より、前記財布口座の識別情報と引出金額とを格納した引出要求を受信する引出要求受信手段と、前記引出金額が、前記財布口座記憶手段に記録される預金金額以下か否かを判定する引出可否判定手段と、前記引出金額が、前記財布口座記憶手段に記録される預金金額以下である場合に、前記現金引出機へ、前記引出金額の引出可を示す情報を送信する判定結果送信手段と、前記財布口座記憶手段に記録されている預金金額を読み取り、当該預金金額から前記引出金額を差し引いて、前記財布口座記憶手段に記録されている預金金額を更新する引出処理手段と、を備えることを特徴とする。
【０００７】
また、本発明は、上述の電子財布システムにおいて、前記ホスト装置は、一定金額の移動、または上限金額までの移動、の何れかを示す前記所定の条件を記憶する条件記憶手段を備え、前記資金移動手段は、前記条件記憶手段に記録されている前記所定の条件が、一定金額の移動を示す場合には、その一定金額が示す金額を、前記移動金額と特定し、前記条件記憶手段に記録されている前記所定の条件が、上限金額までの移動を示す場合には、その上限金額から前記財布口座記憶手段に記録されている預金金額を差し引いた金額を、前記移動金額と特定することを特徴とする。
【０００９】
また、本発明は、上述の電子財布システムにおいて、前記ホスト装置は、現金引出機より、前記電子財布機器の前記識別情報と引出金額とを格納した引出要求を受信する引出要求受信手段と、前記引出金額が、前記財布口座記憶手段に記録される預金金額以下か否かを判定する引出可否判定手段と、前記引出金額が、前記財布口座記憶手段に記録される預金金額以下である場合に、前記現金引出機へ、前記引出金額の引出可を示す情報を送信する判定結果送信手段と、前記財布口座記憶手段に記録されている預金金額を読み取り、当該預金金額から前記引出金額を差し引いて、前記財布口座記憶手段に記録されている預金金額を更新する引出処理手段と、を備えることを特徴とする。
【００１０】
また、本発明は、ホスト装置と電子財布機器とが通信ネットワークによって接続された電子財布システムにおける決済処理方法であって、前記ホスト装置は、親口座記憶手段が、資金移動元の親口座に預金される預金金額を記憶し、財布口座記憶手段が、資金移動先の財布口座にされる預金金額と、財布口座の識別情報とを対応付けて記憶し、資金移動手段が、前記親口座記憶手段の記憶する預金金額から所定の条件に基づいて特定した移動金額を、前記親口座記憶手段に記録される預金金額から差し引いて、前記財布口座記憶手段に記録される預金金額に加算し、決済要求受信手段が、前記電子財布機器より、前記財布口座の識別情報と決済金額とを格納した決済要求を受信し、決済手段が、前記決済要求に格納された前記財布口座の識別情報に基づいて、前記財布口座記憶手段に記録されている預金金額を読み取り、当該預金金額から前記決済金額を差し引いて、前記財布口座記憶手段に記録されている預金金額を更新し、履歴記憶手段が、前記決済金額と、前記財布口座記憶手段に記録されている預金金額から前記決済金額を差し引いた前記更新後の預金金額と、を少なくとも示す履歴情報を記憶し、履歴情報送信手段が、前記履歴情報を前記電子財布機器へ送信し、前記履歴情報送信手段は、さらに、所定の閾値未満の決済金額を示す前記履歴情報については所定の期間単位でまとめて前記電子財布機器へ送信することを特徴とする決済処理方法である。
【発明の効果】
【００１１】
本発明によれば、財布口座に対して、ユーザ所望の移動金額を定期的に移動させ、その財布口座に移動された預金金額を限度に、ユーザは、電子財布機器を用いて商品の購入を行うことができる。これにより、ユーザの商品購入に利用する金額の使いすぎを抑制することができる。
【発明を実施するための最良の形態】
【００１２】
以下、本発明の一実施形態による電子財布システムを図面を参照して説明する。図１は同実施形態による電子財布システムの構成を示すブロック図である。この図において、符号１は銀行等の金融機関が有するホストコンピュータ、２は金融機関に口座を開設した顧客（以下、ユーザとする）が保持する電子財布機器、３は電子財布機器２の記憶する情報の読み込み、または電子財布機器２に情報を記録するリーダライタを備えた決済端末（ＰＯＳ（Point of sale）レジ等）である。そして決済端末３と電子財布機器２とは無線または有線によって接続され、また決済端末３とホストコンピュータ１はインターネット等の通信ネットワークを介して接続されている。ここで、電子財布機器２は、ＩＣ（Integrated Circuit）カード、ＵＳＢ（Universal Serial Bus）メモリ、フラッシュメモリカード、携帯電話端末、ＰＤＡ（Personal Digital Assistant）、ＳＤメモリーカード（SD Memory Card）、ＭＭＣ（MultiMedia Card）など、情報の記録および決済端末３の備えたリーダライタとの間で送受信ができるものであればどのようなものであっても良い。
【００１３】
そして、ホストコンピュータ１は、親口座記憶部１１、財布口座記憶部１２、資金移動部１３、条件記憶部１４、通信処理部１５、決済処理部１６、履歴記録部１７、履歴記憶部１８を備えている。また、電子財布機器２は、通信処理部２１、制御部２２、財布口座番号記憶部２３、履歴記憶部２４を備えている。
【００１４】
そして、本実施形態による電子財布システムでは、ホストコンピュータ１が、親口座記憶部１１に、資金移動元の親口座に預金される預金金額を記憶し、また財布口座記憶部１２に、資金移動先の財布口座に預金される預金金額と、財布口座番号とを対応付けて記憶する。またホストコンピュータの資金移動部１３は、親口座記憶部１１の記憶する預金金額から所定の条件に基づいて特定した移動金額を、当該親口座記憶部１１に記録される預金金額から差し引いて、財布口座記憶部１２に記録される預金金額に加算する。またホストコンピュータ１の通信処理部１５が、電子財布機器２より、財布口座番号と決済金額とを格納した決済要求を受信し、ホストコンピュータ１の決済処理部１６が、決済要求に格納された財布口座番号に基づいて、財布口座記憶部１２に記録されている預金金額を読み取り、当該預金金額から決済金額を差し引いて、財布口座記憶部１２に記録されている預金金額を更新する。
【００１５】
図２は親口座記憶部の記憶する親口座預金テーブルのデータ例を示すである。
図３は財布口座記憶部の記憶する財布口座預金テーブルのデータ例を示すである。
図２で示すように、親口座預金テーブルは、親口座番号と、親口座に預金された預金金額の情報を対応付けて記憶している。
また図３で示すように、財布口座預金テーブルは、財布口座番号と、財布口座に資金移動された預金金額の情報とを対応付けて記憶している。
【００１６】
図４は条件記憶部が記憶する管理テーブルのデータ例を示すである。
この図が示すように、管理テーブルは、財布口座番号、親口座番号、認証情報（ＩＤ／パスワード等）、資金移動条件、移動金額、資金移動日の各情報が対応付けられて記録されている。ここで、資金移動条件には「０」または「１」の符号が記録されており、「０」は『一定金額の移動』を示し、また「１」は『上限金額までの移動』を示している。つまり、資金移動条件が「０」である場合には、管理テーブルに記録されている移動金額分の預金金額を親口座から財布口座へ移動し、また資金移動条件が「１」である場合には、管理テーブルに記録されている移動金額まで、財布口座の預金金額が達するように、親口座の預金金額を財布口座へ移動する。具体的には、資金移動条件が「１」である場合には『管理テーブルの移動金額の欄に記録されている金額−財布口座の預金金額』で算出される額を親口座から財布口座へ移動する。なお親口座から財布口座へ移動するとは、親口座記憶部１１の記憶する預金金額から、資金移動条件に基づいて特定した移動金額を、親口座記憶部１１に記録される預金金額から差し引いて、財布口座記憶部１２に記録される預金金額に加算する処理を言う。また、管理テーブルに記録されている資金移動条件や移動金額、資金移動日の各項目は、ユーザがＰＣ（Personal Computer）などの端末を用いて、ホストコンピュータ１に登録する。このとき、ユーザのＩＤやパスワード、生態情報などを用いて認証処理が行われる。また、電子財布機器２の機器番号や、登録時間、登録場所などにより電子財布機器２自体を認証するようにしてもよい。
【００１７】
図５は履歴記憶部が記憶する履歴テーブルのデータ例を示す図である。
この図が示すように、履歴テーブルは、ユーザが電子財布機器２を利用して購入した商品の決済履歴を記憶しており、当該テーブルには、財布口座番号、決済日、決済金額、商品を購入した店舗の店舗属性の情報、購入した商品の商品属性の情報、決済処理によって更新された財布口座の預金金額の残高、の各情報が対応付けられて記録されている。
【００１８】
図６は資金移動処理の処理フローを示す図である。
図６を用いて資金移動部による資金移動処理の処理フローについて説明する。
まず、資金移動部１３は、日時カウンタ等の日時計測部から日時の情報を読み取って、管理テーブルの資金移動日と比較する。そして、資金移動部１３は、資金移動日に達した財布口座番号を資金移動処理の対象の口座と決定する（ステップＳ６０１）。次に資金移動部１３は、資金移動処理の対象と決定した口座のうち、一つ目の財布口座番号に対応付けられて管理テーブルに記録されている資金移動条件と、移動金額とを読み取り、その資金移動条件と移動金額とに基づいて、資金移動を行う（ステップＳ６０２）。つまり、上述の図４の説明で示したように、資金移動条件が「０」である場合には、管理テーブルに記録されている移動金額分の預金金額を親口座から財布口座へ移動し、また資金移動条件が「１」である場合には、管理テーブルに記録されている移動金額まで、財布口座の預金金額が達するように、親口座の預金金額を財布口座へ移動する。そして、資金移動処理の対象と決定した口座の全ての財布口座番号について資金移動処理が完了したかを判定し（ステップＳ６０３）、完了するまで、財布口座番号を変えて処理を繰り返す。これにより、財布口座には、親口座から預金金額の資金がユーザ所望の資金移動日に移動される。
【００１９】
図７は決済処理の処理フローを示す図である。
次に、図７を用いて、決済処理部による決済処理の処理フローについて説明する。
まず、商品を購入する場合には、決済端末３が、電子財布機器２の財布口座番号記憶部２３に記録されている財布口座番号を、通信処理部２１を介して読み取る（ステップＳ７０１）。そして決済端末３は、商品販売担当者から入力されて商品の決済金額や、商品属性情報（商品番号や商品名など）、決済端末３に予め登録されている店舗の属性情報（店名、支店名、店コードなど）、と、電子財布機器２から読み取った財布口座番号とを格納した決済要求を、通信ネットワークを介してホストコンピュータ１へ送信する（ステップＳ７０２）。
【００２０】
次に、ホストコンピュータ１においては、通信処理部１５が決済要求を受信する（ステップＳ７０３）。そして通信処理部１５は決済要求を決済処理部１６へ転送する。決済処理部１６は決済要求を受信すると、当該決済要求に格納された財布口座番号を読み取って、その財布口座番号に対応付けられて財布口座記憶部１２に記録されている預金金額を読み取る。そしてその預金金額から決済金額を差し引いて、その新たな預金金額を、財布口座記憶部１２に記録されている預金金額に上書きして更新する（ステップＳ７０４）。これにより、財布口座には決済処理後の預金金額の情報が登録される。決済処理部１６は、通信処理部１５に決済完了の送信を指示し、通信処理部１５が決済完了の情報を通信ネットワークを介して決済端末３へ送信する（ステップＳ７０５）。すると決済端末３は決済完了を表示部に表示し、これにより決済が完了する。
【００２１】
また決済処理が完了すると、決済要求に格納されている、決済金額、商品属性、店舗属性、財布口座番号、新たな財布口座の預金金額と、の各情報を履歴記録部１７が受け取り、それら受け取った情報と、決済日とを対応付けて履歴テーブルに登録する（ステップＳ７０６）。そして、通信処理部１５が履歴記憶部１８に記録されている履歴テーブルの情報を、通信ネットワークを介して決済端末３へ送信する（ステップＳ７０７）。決済端末３は、履歴テーブルの情報を電子財布機器２へ送信し（ステップＳ７０８）、電子財布機器２の制御部２２が通信処理部２１を介して履歴テーブルの情報を受信し、履歴記憶部２４へ登録する（ステップＳ７０９）。なお、電子財布機器２を保持するユーザは、履歴テーブルの表示アプリケーションの登録されたＰＣなどの端末に、履歴記憶部２４に記録されている履歴テーブルを表示させることができる。
【００２２】
以上、電子財布システムの処理フローについて説明したが、上述の処理によれば、財布口座に対して、ユーザ所望の移動金額を定期的に移動させ、その財布口座に移動された預金金額を限度に、ユーザは、電子財布機器２を用いて商品の購入を行うことができる。これにより、ユーザの商品購入に利用する金額の使いすぎを抑制することができる。
【００２３】
なお、上述の処理において、ホストコンピュータ１は、履歴テーブルの全情報を、通信ネットワークを介して決済端末３へ送信し、電子財布機器２に登録しているが、決済処理において新たに書き込まれた履歴の情報のみを送信するようにしてもよい。また、小口決済（例えば５００円未満の決済）の履歴は、逐一、決済端末３に送信せず、一週間毎、一ヶ月毎、など、まとめて小口決済の履歴を送信するようにしてもよい。この場合、決済金額が５００円未満か否かを履歴記録部１７が判定し、決済金額が５００円未満の決済については、フラグを立てて履歴テーブルに記録しておく。そして、履歴送信を行う処理部が、フラグの立っている履歴については、一週間の末日を検出して、その検出ごとに、通信処理部１５を介して送信するようにすればよい。
【００２４】
なお、電子財布機器２を用いて、財布口座の預金金額内の現金を引き出すことが出来るようにしても良い。この場合、ホストコンピュータ１が、引出処理部を別途備えるものとする。そして、ホストコンピュータ１は、電子財布機器２と有線または無線で情報を送受信する現金引出機から、財布口座番号と引出金額とを格納した引出要求を受信する。そしてホストコンピュータ１の引出処理部は、引出金額が、財布口座記憶部１２に記録される預金金額以下か否かを判定し、引出金額が、財布口座記憶部１２に記録される預金金額以下である場合に、現金引出機へ、引出金額の引出可を示す情報を送信する。そのとき、引出処理部は、財布口座記憶部１２に記録されている預金金額を読み取り、当該預金金額から引出金額を差し引いて、財布口座記憶部１２に記録されている預金金額に上書きして更新する。
【００２５】
なお、上述のホストコンピュータや電子財布機器、決済端末は、内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２６】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２７】
【図１】電子財布システムの構成を示すブロック図である。
【図２】親口座預金テーブルのデータ例を示すである。
【図３】財布口座預金テーブルのデータ例を示すである。
【図４】管理テーブルのデータ例を示すである。
【図５】履歴テーブルのデータ例を示す図である。
【図６】資金移動処理の処理フローを示す図である。
【図７】決済処理の処理フローを示す図である。
【符号の説明】
【００２８】
１・・・ホストコンピュータ
２・・・電子財布機器
３・・・決済端末
１１・・・親口座記憶部
１２・・・財布口座記憶部
１３・・・資金移動部
１４・・・条件記憶部
１５，２１・・・通信処理部
１６・・・決済処理部
１７・・・履歴記録部
１８，２４・・・履歴記憶部
２２・・・制御部
２３・・・財布口座番号記憶部
【図１】
0005433947.tif 000002
【図２】
0005433947.tif 000003
【図３】
0005433947.tif 000004
【図４】
0005433947.tif 000005
【図５】
0005433947.tif 000006
【図６】
0005433947.tif 000007
【図７】
0005433947.tif 000008